(57)【要約】      （修正有）【課題】スタンド支柱によりフローティング効果が阻害されることがない表示装置を提供する。【解決手段】表示装置１０は、画像を表示する表示パネル２０と、表示パネルを支持するスタンド３０とを備え、スタンドは、表示パネルに取り付けられる支柱４０と、支柱を支持する基部６０とを有し、支柱は、内部に中空部を有する透明な筒４２と、中空部に配置され、表示パネルと接続される複数の接続線５２とを有し、複数の接続線は、電源線及び映像線の少なくとも一方を含む。【選択図】図１
0003226955.tif 000002
【実用新案登録請求の範囲】
【請求項１】
画像を表示する表示パネルと、
前記表示パネルを支持するスタンドとを備え、
前記スタンドは、
前記表示パネルに取り付けられる支柱と、
前記支柱を支持する基部とを有し、
前記支柱は、
内部に中空部を有する透明な筒と、
前記中空部に配置され、前記表示パネルと接続される複数の接続線とを有し、
前記複数の接続線は、電源線及び映像線の少なくとも一方を含む
表示装置。
【請求項２】
前記複数の接続線の少なくとも一部は、白色又は灰色の絶縁性チューブを有する
請求項１に記載の表示装置。
【請求項３】
前記複数の接続線は、透明又は半透明の部分を含む
請求項１に記載の表示装置。
【請求項４】
前記複数の接続線のうち隣り合う二本の接続線は、互いに離隔して配置された部分を有する
請求項１〜３のいずれか１項に記載の表示装置。
【請求項５】
前記支柱は、長手方向において伸縮自在である
請求項１〜４のいずれか１項に記載の表示装置。
【請求項６】
前記複数の接続線は、らせん状に配置される
請求項５に記載の表示装置。
【請求項７】
前記支柱は、前記表示パネルに対して着脱自在に取り付けられている
請求項１〜６のいずれか１項に記載の表示装置。
【請求項８】
前記基部は、前記表示装置と外部機器とを接続する接続端子を固定する端子固定部をさらに有する
請求項１〜７のいずれか１項に記載の表示装置。
【請求項９】
光を出射する光出射器を支持するスタンドであって、
前記光出射器に取り付けられる支柱と、
前記支柱を支持する基部とを有し、
前記支柱は、
内部に中空部を有する透明な筒と、
前記筒の中空部に配置され、前記光出射器と接続される複数の接続線とを有し、
前記複数の接続線は、電源線及び映像線の少なくとも一方を含む
スタンド。
【考案の詳細な説明】
【技術分野】
【０００１】
本考案は、表示装置及びスタンドに関する。
【背景技術】
【０００２】
液晶表示パネル、有機ＥＬ（Ｅｌｅｃｔｒｏ−Ｌｕｍｉｎｅｓｃｅｎｃｅ）表示パネルなどのフラットディスプレイパネルを用いる表示装置として、フラットディスプレイパネルの表示部の周囲に枠状の透明部を配置することによって、フラットディスプレイパネルに表示された画像が宙に浮いているように見えるフローティング効果を生じさせたものが提案されている。
【０００３】
例えば、特許文献１には、フラットディスプレイパネルの外周に、外枠と、内枠と、それらの間に配置された枠状の透明部材とを備える表示装置が記載されている。
【先行技術文献】
【特許文献】
【０００４】
【特許文献１】特開２００６−３０３２１号公報
【考案の概要】
【考案が解決しようとする課題】
【０００５】
しかしながら、特許文献１に記載された表示装置では、スタンドに取り付けられているため、表示装置の下方にスタンドが見えることで、フローティング効果が阻害される。
【０００６】
そこで、本考案は、上記問題点に鑑みてなされたものであり、フローティング効果を得られる表示装置等を提供することを目的とする。
【課題を解決するための手段】
【０００７】
上記目的を達成するために、本考案の一形態に係る表示装置は、画像を表示する表示パネルと、前記表示パネルを支持するスタンドとを備え、前記スタンドは、前記表示パネルに取り付けられる支柱と、前記支柱を支持する基部とを有し、前記支柱は、内部に中空部を有する透明な筒と、前記中空部に配置され、前記表示パネルと接続される複数の接続線とを有し、前記複数の接続線は、電源線及び映像線の少なくとも一方を含む。
【０００８】
また、上記目的を達成するために、本考案の一形態に係るスタンドは、光を出射する光出射器を支持するスタンドであって、前記光出射器に取り付けられる支柱と、前記支柱を支持する基部とを有し、前記支柱は、内部に中空部を有する透明な筒と、前記筒の中空部に配置され、前記光出射器と接続される複数の接続線とを有し、前記複数の接続線は、電源線及び映像線の少なくとも一方を含む。
【考案の効果】
【０００９】
本考案により、フローティング効果を得られる表示装置等を提供できる。
【図面の簡単な説明】
【００１０】
【図１】図１は、実施の形態に係る表示装置の外観を示す斜視図である。
【図２】図２は、実施の形態に係る表示パネルの側面図である。
【図３】図３は、実施の形態に係る端子固定部の構成を示す模式図である。
【図４】図４は、実施の形態に係る表示装置の支柱の長さを伸長させた状態を示す斜視図である。
【図５】図５は、実施の形態に係る複数の電源線の構成を示す側面図である。
【図６】図６は、実施の形態に係る複数の電源線の構成を示す断面図である。
【図７】図７は、実施の形態の変形例に係る複数の電源線の構成を示す側面図である。
【図８】図８は、実施の形態の変形例に係る複数の電源線の構成を示す断面図である。
【考案を実施するための形態】
【００１１】
以下、本考案の実施の形態について、図面を用いて詳細に説明する。なお、以下で説明する実施の形態は、いずれも本考案の一具体例を示す。以下の実施の形態で示される数値、形状、材料、構成要素、構成要素の配置位置及び接続形態、使用例、動作例等は、一例であり、本考案を限定する主旨ではない。また、以下の実施の形態における構成要素のうち、本考案の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１２】
（実施の形態）
実施の形態に係る表示装置について説明する。
【００１３】
［１．全体構成］
まず、本実施の形態に係る表示装置の全体構成について図１を用いて説明する。図１は、本実施の形態に係る表示装置１０の外観を示す斜視図である。なお、図１及び後述する各図において、鉛直方向をＺ軸方向としており、Ｚ軸方向に垂直で、表示装置１０の表示部２２の表面に平行な水平方向をＹ軸方向としており、Ｙ軸方向及びＺ軸方向に垂直な方向をＹ軸方向としている。各図のＸＹＺ座標系は、右手系の直交座標系である。
【００１４】
本実施の形態に係る表示装置１０は、画像を表示する装置であり、図１に示されるように、表示パネル２０と、スタンド３０とを備える。以下、表示装置１０の各構成要素について説明する。
【００１５】
［１−１．表示パネル］
表示パネル２０は、画像を表示するモニタである。表示パネル２０は、表示部２２を有する。表示部２２は、画像が表示される部分である。表示パネル２０として、任意のモニタを用いることができ、例えば、有機ＥＬ表示パネルを用いることができる。以下、表示パネル２０について、図２を用いて詳細に説明する。
【００１６】
図２は、本実施の形態に係る表示パネル２０の側面図である。図２には、Ｙ軸方向から見た表示パネル２０の側面図が示されている。また、図２には、スタンド３０の支柱４０の一部も併せて示されている。図２に示されるように、本実施の形態では、表示パネル２０は、取付部２４を有する。取付部２４は、スタンド３０の支柱４０が取り付けられる部分である。取付部２４は、挿入部２５と、コネクタ２６とを有する。
【００１７】
挿入部２５は、支柱４０の先端部が挿入される凹部である。挿入部２５に支柱４０を挿入することで、表示パネル２０が、支柱４０に対して固定される。
【００１８】
コネクタ２６は、支柱４０の先端に配置される接続端子４８を受ける部分である。接続端子４８には、表示パネル２０を駆動するための電力、及び、表示パネル２０で表示する画像を示す映像信号の少なくとも一方が供給される。なお、表示パネル２０には、外部から無線通信を用いて映像信号などの信号が送信されてもよい。また、表示パネル２０には、電磁場を用いて非接触で給電されてもよい。
【００１９】
［１−２．スタンド］
スタンド３０は、表示パネル２０を支持する機器である。図１に示されるように、スタンド３０は、支柱４０と、基部６０とを有する。
【００２０】
基部６０は、支柱４０を支持する部材である。本実施の形態では、基部６０は、スタンド３０が設置される面上に配置される基部本体６２と、支柱４０を固定する固定部６８とを有する。図１に示されるように、本実施の形態では、基部本体６２は、円盤状の形状を有する部材である。固定部６８は、基部本体６２に固定されており、支柱４０が接続される。本実施の形態では、固定部６８は、柱状の形状を有し、支柱４０が挿入される。
【００２１】
本実施の形態では、基部６０は、端子固定部６４をさらに有する。端子固定部６４は、表示装置１０と外部機器とを接続する接続端子を固定する部分である。端子固定部６４について、図３を用いて説明する。図３は、本実施の形態に係る端子固定部６４の構成を示す模式図である。図３に示されるように、端子固定部６４は、コネクタ６６ａ〜６６ｃを備える。端子固定部６４には、例えば、表示装置１０と外部機器との間で信号の送受信を行うための接続端子が固定される。コネクタ６６ａ〜６６ｃの各々には、接続端子が接続される。コネクタ６６ａ〜６６ｃに接続される接続端子は特に限定されないが、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、ＵＳＢ（Ｕｎｉｖｅｒｓａｌ  Ｓｅｒｉａｌ  Ｂｕｓ）端子、電力供給端子などであってもよい。また、コネクタ６６ａ〜６６ｃの各々には、複数の接続線５２のうちの少なくとも一つの接続線が接続される。なお、端子固定部６４が有するコネクタの個数は、特に限定されず、１以上であればよい。
【００２２】
支柱４０は、表示パネル２０に取り付けられる柱状の部材である。図１に示されるように、支柱４０は、内部に中空部を有する透明な筒４２と、筒４２の中空部に配置され、表示パネル２０と接続される複数の接続線５２とを有する。ここで、透明とは、完全に透明、つまり、可視光透過率が１００％であることだけでなく、実質的に透明であることも意味する。本明細書では、可視光透過率が９０％以上であることを透明という。このように、支柱４０が有する筒４２が透明であることにより、筒４２がユーザに認識されにくくなる。したがって、表示パネル２０及び表示パネル２０が表示する画像が、あたかも宙に浮いているように見えるフローティング効果を得ることができる。
【００２３】
以下、支柱４０の構成について、図１及び図２と併せて、図４も用いて説明する。図４は、本実施の形態に係る表示装置１０の支柱４０の長さを伸長させた状態を示す斜視図である。本実施の形態では、筒４２は、図１及び図４に示されるように、第一筒４４と、第二筒４６とを含む。第一筒４４は、基部６０に固定される透明な筒状部材である。第一筒４４は、長手方向の一端が基部６０の固定部６８に固定される。第二筒４６は、表示パネル２０に固定される透明な筒状部材である。第二筒４６は、第一筒４４の内径より小さい外径を有し、一部が第一筒４４の内部に配置される。第二筒４６の一方の端部は、第一筒４４の内部に、第一筒４４及び第二筒４６の長手方向に沿って挿入されている。図１及び図４に示されるように、第二筒４６のうち、第一筒４４の内部に配置される部分の長さを変更することで、支柱４０全体の長さ、すなわち、基部６０から表示パネル２０までの長さを調節することができる。つまり、支柱４０は、長手方向において伸縮自在である。これにより、表示パネル２０の配置位置の自由度を高めることができる。なお、第二筒４６の第一筒４４に対する位置を固定する構成は、特に限定されない。例えば、第一筒４４にネジ孔を形成し、ネジ孔を貫通させたネジによって第二筒４６を第一筒４４に対して押し付けることで、第二筒４６を第一筒４４に対して固定してもよい。第一筒４４及び第二筒４６の形状は、筒状であれば特に限定されない。本実施の形態では、第一筒４４及び第二筒４６の形状は、円筒状である。第一筒４４及び第二筒４６を形成する材料は、透明な材料であれば特に限定されない。本実施の形態では、第一筒４４及び第二筒４６は、アクリルで形成される。
【００２４】
本実施の形態では、支柱４０は表示パネル２０に対して着脱自在に取り付けられている。これにより、表示パネル２０をスタンド３０から取り外した状態でも使用することができる。図２に示されるように、支柱４０が有する第二筒４６の長手方向の端部のうち、第一筒４４に挿入された一方の端部の反対側の他方の端部が、表示パネル２０に着脱自在に取り付けられる。より具体的には、第二筒４６の当該他方の端部は、表示パネル２０の挿入部２５に挿入される。第二筒４６は、当該他方の端部に固定された接続端子４８を有する。接続端子４８には、表示装置１０の外部から複数の接続線５２などを介して、表示パネル２０を駆動するための電力、及び、表示パネル２０で表示する画像を示す映像信号の少なくとも一方が供給される。接続端子４８は、表示パネル２０のコネクタ２６に固定され、表示パネル２０を駆動するための電力、及び、表示パネル２０で表示する画像を示す映像信号の少なくとも一方が、表示パネル２０に供給される。
【００２５】
複数の接続線５２の各々は、筒４２の内部の中空部に配置され、表示パネル２０と接続される電線である。複数の接続線５２は、電源線及び映像線の少なくとも一方を含む。ここで、電源線とは、表示パネル２０に供給される電力を伝達するための電線であり、映像線とは、表示パネル２０において表示される画像に対応する映像信号を伝達するための電線である。本実施の形態では、複数の接続線５２は、筒４２の内部の中空部を貫通するように配置される。
【００２６】
複数の接続線５２は、図１に示されるように、筒４２の内部の中空部において、らせん状に配置される。これにより、支柱４０が伸縮する場合に複数の接続線５２が受ける張力を抑制できる。
【００２７】
以下、複数の接続線５２の詳細構成について、図５及び図６を用いて説明する。図５及び図６は、それぞれ、本実施の形態に係る複数の接続線５２の構成を示す側面図及び断面図である。図６には、図５に示されるＶＩ−ＶＩ線における複数の接続線５２の断面が示されている。なお、図５及び図６においては、複数の接続線５２の本数は、６本であるが、複数の接続線５２の本数は複数であれば特に限定されない。
【００２８】
複数の接続線５２の各々は、図６に示されるように、芯線５３と、被覆部５４とを有する。芯線５３は、電力、信号などを伝送する長尺状の導電部材である。芯線５３は、例えば、Ａｕ、Ｃｕ、Ａｌなどの金属又は複数の金属の合金で形成される。被覆部５４は、芯線５３を覆う絶縁性チューブである。被覆部５４は、例えば、絶縁性の樹脂などで形成される。
【００２９】
複数の接続線５２のうち隣り合う二本の接続線５２は、互いに離隔して配置された部分を有する。つまり、図５及び図６に示されるように、隣り合う二本の接続線５２の間に隙間５８が形成される。複数の接続線５２を含む領域のうち、隙間５８が透明であるため、複数の接続線５２を含む領域は、半透明となる。なお、ここで、半透明とは、一部の可視光が透過することを意味する。本明細書では、可視光透過率が１０％以上、９０％未満であることを半透明という。したがって、表示部２２の外側に配置される複数の接続線５２がユーザに認識されにくくなるため、複数の接続線５２によるフローティング効果の低減を抑制できる。
【００３０】
また、複数の接続線５２の各々の被覆部５４の色は、各接続線５２がユーザに認識されにくくなるように決定されてもよい。例えば、複数の接続線５２の少なくとも一部は、白色又は灰色の絶縁性チューブからなる被覆部５４を有してもよい。これにより、筒４２の内部に配置された複数の接続線５２を目立ちにくくすることができる。したがって、表示パネル２０に表示された画像のフローティング効果が、複数の接続線５２によって損なわれることを抑制できる。
【００３１】
また、複数の接続線５２の少なくとも一部は、透明又は半透明の部分を含んでもよい。このような構成によっても、筒４２の内部に配置された複数の接続線５２を目立ちにくくすることができる。例えば、複数の接続線５２の少なくとも一部は、透明又は半透明の絶縁性チューブからなる被覆部５４を有してもよいし、さらに、透明又は半透明の芯線５３を有してもよい。透明な絶縁性チューブとして、例えば、透明樹脂で形成された絶縁性チューブを用いることができる。また、透明な芯線５３として、例えば、ＩＴＯなどの透明導電材料で形成された芯線を用いることができる。
【００３２】
［２．作用及び効果］
以上のように、本実施の形態に係る表示装置１０は、画像を表示する表示パネル２０と、表示パネル２０を支持するスタンド３０とを備え、スタンド３０は、表示パネル２０に取り付けられる支柱４０と、支柱４０を支持する基部６０とを有し、支柱４０は、内部に中空部を有する透明な筒４２と、中空部に配置され、表示パネル２０と接続される複数の接続線５２とを有し、複数の接続線５２は、電源線及び映像線の少なくとも一方を含む。
【００３３】
このように、透明な筒４２を有するスタンド３０によって、表示パネル２０を支持することで、スタンド３０の存在感を低減することができる。このため、表示パネル２０に表示された画像のフローティング効果を高めることができる。
【００３４】
また、表示装置１０において、複数の接続線５２の少なくとも一部は、白色又は灰色の絶縁性チューブを有してもよい。
【００３５】
これにより、筒４２の内部に配置された複数の接続線５２を目立ちにくくすることができる。したがって、表示パネル２０に表示された画像のフローティング効果が、複数の接続線５２によって損なわれることを抑制できる。
【００３６】
また、表示装置１０において、複数の接続線５２は、透明又は半透明の部分を含んでもよい。
【００３７】
これにより、筒４２の内部に配置された複数の接続線５２を目立ちにくくすることができる。したがって、表示パネル２０に表示された画像のフローティング効果が、複数の接続線５２によって損なわれることを抑制できる。
【００３８】
また、表示装置１０において、複数の接続線５２のうち隣り合う二本の接続線５２は、互いに離隔して配置された部分を有してもよい。
【００３９】
これにより、複数の接続線５２を含む領域を半透明とすることができるため、複数の接続線５２を目立ちにくくすることができる。したがって、表示パネル２０に表示された画像のフローティング効果が、複数の接続線５２によって損なわれることを抑制できる。
【００４０】
また、表示装置１０において、支柱４０は、長手方向において伸縮自在であってもよい。
【００４１】
これにより、表示パネル２０の配置位置の自由度を高めることができる。
【００４２】
また、表示装置１０において、複数の接続線は、らせん状に配置されてもよい。
【００４３】
これにより、支柱４０が伸縮する場合に複数の接続線５２が受ける張力を抑制できる。
【００４４】
また、表示装置１０において、支柱４０は、表示パネル２０に対して着脱自在に取り付けられていてもよい。
【００４５】
これにより、表示パネル２０をスタンド３０から取り外した状態でも使用することができる。
【００４６】
また、表示装置１０において、基部６０は、表示装置１０と外部機器とを接続する接続端子を固定する端子固定部６４をさらに有してもよい。
【００４７】
これにより、接続端子を表示パネル２０に接続する必要がなくなるため、接続端子に接続された電線などが表示パネル２０の周辺に配置されることを低減できる。したがって、接続端子に接続された電線などによって、フローティング効果が損なわれることを抑制できる。
【００４８】
［３．変形例］
次に、本実施の形態の変形例に係る複数の接続線について説明する。本変形例に係る複数の接続線は、隣り合う二本の接続線が互いに離隔されていない点において、上記実施の形態に係る複数の接続線５２と相違する。以下、本変形例に係る複数の接続線について、上記実施の形態に係る複数の接続線５２との相違点を中心に図７及び図８を用いて説明する。図７及び図８は、それぞれ、本変形例に係る複数の接続線５２ａの構成を示す側面図及び断面図である。図８には、図７に示されるＶＩＩＩ−ＶＩＩＩ線における複数の接続線５２ａの断面が示されている。なお、図７及び図８においては、複数の接続線５２ａの本数は、６本であるが、複数の接続線５２ａの本数は複数であれば特に限定されない。
【００４９】
図７及び図８に示されるように、本変形例に係る複数の接続線５２ａの各々は、実施の形態に係る複数の接続線５２の各々と同様に、芯線５３と、被覆部５４ａとを有する。本変形例に係る複数の接続線５２ａは、透明又は半透明な部分を含む。例えば、被覆部５４ａは、透明樹脂などの透明部材で形成される。また、複数の接続線５２ａのうち隣り合う二本の接続線５２ａは、互いに接している。つまり、複数の接続線５２ａのうち隣り合う二本の接続線５２ａは、離隔されていない。このように、隣り合う二本の接続線５２ａが離隔されていない場合にも、被覆部５４ａが透明又は半透明であることによって、複数の接続線５２ａを含む領域は半透明となる。さらに、芯線５３を透明とする場合には、複数の接続線５２ａを含む領域全体が透明又は半透明となる。したがって、筒４２の内部に配置された複数の接続線５２ａを目立ちにくくすることができる。したがって、表示パネル２０に表示された画像のフローティング効果が、複数の接続線５２ａによって損なわれることを抑制できる。
【００５０】
（その他の変形例など）
以上、本考案の表示装置１０及び表示装置１０が備えるスタンド３０について、実施の形態及び変形例に基づいて説明したが、本考案は、この実施の形態及び変形例に限定されるものではない。本考案の主旨を逸脱しない限り、当業者が思いつく各種変形を本実施の形態に施したものや、実施の形態における一部の構成要素を組み合わせて構築される別の形態も、本考案の範囲内に含まれる。
【００５１】
例えば、上記実施の形態では、表示パネル２０として、有機ＥＬ表示パネルを用いたが、表示パネル２０として、液晶表示パネル、量子ドットＬＥＤ（Ｑｕａｎｔｕｍ−ｄｏｔ  Ｌｉｇｈｔ  Ｅｍｉｔｔｉｎｇ  Ｄｉｏｄｅ）表示パネルなどの他のディスプレイパネルを用いてもよい。
【００５２】
また、上記実施の形態では、スタンド３０によって、表示パネル２０を支持したが、スタンド３０は、他の光出射器を支持するためにも用いることができる。他の光出射器として、有機ＥＬ表示パネルなどのような自発光表示パネルだけでなく、反射型液晶表示パネルなども用いることができる。また、他の光出射器として、表示パネル以外にも照明器具なども用いることができる。つまり、本考案のスタンド３０は、光を出射する光出射器を支持するスタンド３０であって、光出射器に取り付けられる支柱４０と、支柱４０を支持する基部６０とを有し、支柱４０は、内部に中空部を有する透明な筒４２と、筒４２の中空部に配置され、光出射器と接続される複数の接続線５２とを有し、複数の接続線５２は、電源線及び映像線の少なくとも一方を含む。このようなスタンド３０によれば、光出射器のフローティング効果を得ることができる。
【産業上の利用可能性】
【００５３】
本考案は、フローティング効果を得られる表示装置及びスタンドとして、特に、有機ＥＬ表示装置、照明装置などに利用できる。
【符号の説明】
【００５４】
１０  表示装置
２０  表示パネル
２２  表示部
２４  取付部
２５  挿入部
２６、６６ａ、６６ｂ、６６ｃ  コネクタ
３０  スタンド
４２  筒
４４  第一筒
４６  第二筒
４８  接続端子
５２、５２ａ  接続線
５３  芯線
５４、５４ａ  被覆部
６０  基部
６２  基部本体
６４  端子固定部
６８  固定部
【図１】
0003226955.tif 000003
【図２】
0003226955.tif 000004
【図３】
0003226955.tif 000005
【図４】
0003226955.tif 000006
【図５】
0003226955.tif 000007
【図６】
0003226955.tif 000008
【図７】
0003226955.tif 000009
【図８】
0003226955.tif 000010
【手続補正書】
【提出日】令和2年5月11日(2020.5.11)
【手続補正１】
【補正対象書類名】実用新案登録請求の範囲
【補正対象項目名】全文
【補正方法】変更
【補正の内容】
【実用新案登録請求の範囲】
【請求項１】
画像を表示する表示パネルと、
前記表示パネルを支持するスタンドとを備え、
前記スタンドは、
前記表示パネルに取り付けられる支柱と、
前記支柱を支持する基部とを有し、
前記支柱は、
内部に中空部を有する透明な筒と、
前記中空部に配置され、前記表示パネルと接続される複数の接続線とを有し、
前記複数の接続線は、電源線及び映像線の少なくとも一方を含む
表示装置。
【請求項２】
前記複数の接続線の少なくとも一部は、白色又は灰色の絶縁性チューブを有する
請求項１に記載の表示装置。
【請求項３】
前記複数の接続線は、透明又は半透明の部分を含む
請求項１に記載の表示装置。
【請求項４】
前記複数の接続線のうち隣り合う二本の接続線は、互いに離隔して配置された部分を有する
請求項１〜３のいずれか１項に記載の表示装置。
【請求項５】
前記筒は、
前記基部に固定される筒状部材である第一筒と、
前記表示パネルに固定される筒状部材であって、前記第一筒の内径より小さい外径を有し、一部が第一筒の内部に配置される第二筒とを含む
請求項１〜４のいずれか１項に記載の表示装置。
【請求項６】
前記複数の接続線は、らせん状に配置される
請求項５に記載の表示装置。
【請求項７】
前記表示パネルは、前記支柱の先端部が挿入される凹部である挿入部を有する
請求項１〜６のいずれか１項に記載の表示装置。
【請求項８】
前記基部は、前記表示装置と外部機器とを接続する接続端子を固定する端子固定部をさらに有する
請求項１〜７のいずれか１項に記載の表示装置。
【請求項９】
光を出射する光出射器を支持するスタンドであって、
前記光出射器に取り付けられる支柱と、
前記支柱を支持する基部とを有し、
前記支柱は、
内部に中空部を有する透明な筒と、
前記筒の中空部に配置され、前記光出射器と接続される複数の接続線とを有し、
前記複数の接続線は、電源線及び映像線の少なくとも一方を含む
スタンド。